(57)【要約】【課題】  骨盤矯正ベルトの緊締により生じる体背部への押圧力を骨盤に効果的に伝えて、骨盤の歪みによる姿勢の悪化を改善するとともに、確実に骨盤に配置することができ、巻着時にずれにくく最適な装着位置に維持することが可能な骨盤押圧パット及び骨盤押圧パット付き骨盤矯正ベルトを得る。【解決手段】  骨盤回りに弾性力をもって巻き付けられるベルト本体に装着され、所定の厚みを備えた弾性材で形成された押圧体からなる骨盤押圧パッドであって、押圧体１は、略台形状をなし、台形状の底面４をベルト装着面５とし、台形状の頂面６を仙骨を押圧する仙骨押圧面部２とし、頂面６の両側にある傾斜面７を腸骨を押圧する腸骨押圧面部３とし、そして、押圧体１にあっては、その中央部位を、台形状の底面４から頂面６に渡って硬質弾性材で形成して仙骨強押圧部位９とし、仙骨強押圧部位９以外を軟質弾性材で形成して軟押圧部位１０とした。【選択図】  図１
2012055376.tif 000002
【特許請求の範囲】
【請求項１】
骨盤回りに弾性力をもって巻き付けられるベルト本体に装着され、所定の厚みを備えた弾性材で形成された押圧体からなる骨盤押圧パッドであって、
前記押圧体は、略台形状をなし、台形状の底面をベルト装着面とし、台形状の頂面を仙骨部位を押圧する仙骨押圧面部とし、前記頂面の両側にある傾斜面を腸骨部位を押圧する腸骨押圧面部とし、そして、前記押圧体にあっては、その中央部位を、台形状の底面から頂面に渡って硬質弾性材で形成して仙骨強押圧部位とし、仙骨強押圧部位の両側を軟質弾性材で形成して軟押圧部位としたことを特徴とする骨盤押圧パッド。
【請求項２】
前記仙骨強押圧部位は、ベルト長さ方向の縦断面が略台形状に形成されていることを特徴とする請求項１に記載の骨盤押圧パッド。
【請求項３】
骨盤回りに弾性力をもって巻き付けられるベルト本体の長手方向中央を骨盤当て部とし、該骨盤当て部に、請求項１又は２に記載の骨盤押圧パッドが装着されていることを特徴とする骨盤押圧パッド付き骨盤矯正ベルト。
【発明の詳細な説明】
【技術分野】
【０００１】
本発明は、骨盤回りに弾性力をもって巻き付けられるベルト本体に装着される骨盤押圧パッド及び骨盤押圧パッド付き骨盤矯正ベルトに関する。
【背景技術】
【０００２】
近年、腰痛、肩こり、首こり、背中の痛みなど様々な不快な症状の原因の一つとして骨盤の歪みが指摘されており、なかでも運動不足による筋肉の弱体化や悪い姿勢の多い生活習慣により骨盤が開いて後ろに傾斜する骨盤の歪みが指摘されている。
【０００３】
骨盤は、仙骨とその左右の腸骨によって構成されており、仙骨と左右の腸骨は仙腸関節で結ばれている。骨盤の中心に位置する仙骨の上には、側方から見てゆったりとしたＳ字カーブを描く彎曲をなす脊柱が積み上げられている。この脊柱の彎曲は、一般的に「生理的彎曲」と呼ばれており、骨盤が開いて後ろに傾斜すると、脊柱の生理的彎曲が崩れていわゆる猫背の悪い姿勢になってしまう。このような悪い姿勢は、一部の筋肉や脊柱に大きな負担がかかり腰痛、肩こり、首こり、背中の痛みなどの不快な症状を引き起こす原因となる。
【０００４】
このような骨盤の歪みによる姿勢の悪化を改善するものとして、仙骨の左右にある腸骨を押圧することにより、後ろに傾斜した骨盤を前傾させて、適切な脊柱の生理的彎曲を形成する骨盤押圧パッド及び骨盤押圧パッド付き骨盤矯正ベルトが提案されている（特許文献１参照。）。
【先行技術文献】
【特許文献】
【０００５】
【特許文献１】特開２００９−１００８６５号公報
【発明の概要】
【発明が解決しようとする課題】
【０００６】
しかしながら、特許文献１に記載された骨盤押圧パッド及び骨盤押圧パッド付き骨盤矯正ベルトは、骨盤のうち腸骨のみを局所的に押圧するものであるため、骨盤矯正ベルトの緊締により生じる体背部への押圧力を骨盤に効果的に伝えることができず、骨盤を前傾させることができないおそれがあるといった問題があった。
【０００７】
また、特許文献１に記載された骨盤押圧パッド及び骨盤押圧パッド付き骨盤矯正ベルトは、押圧パットが装着された骨盤矯正ベルトを巻着する際、押圧パッドが左右にずれてしまい、押圧パットを所望の位置に配置することが難しく、位置決めに気を使うといった問題があった。
【０００８】
さらに、特許文献１に記載された骨盤押圧パッド及び骨盤押圧パッド付き骨盤矯正ベルトは、矯正ベルトを巻着してエクササイズやウォーキング等の運動を行った場合、押圧パッドが腸骨からずれやすく、最適な装着位置に維持することが困難であり、何度も巻き直しが必要になるなど、使用上の煩わしさがあるといった問題があった。
【０００９】
本発明の目的は、骨盤矯正ベルトの緊締により生じる体背部への押圧力を骨盤に効果的に伝えて、骨盤の歪みによる姿勢の悪化を改善するとともに、確実に骨盤に配置することができ、巻着時にずれにくく最適な装着位置に維持することが可能な骨盤押圧パット及び骨盤押圧パッド付き骨盤矯正ベルトを提供することにある。
【課題を解決するための手段】
【００１０】
上記の目的を達成するために請求項１に記載の発明は、骨盤回りに弾性力をもって巻き付けられるベルト本体に装着され、所定の厚みを備えた弾性材で形成された押圧体からなる骨盤押圧パッドであって、前記押圧体は、略台形状をなし、台形状の底面をベルト装着面とし、台形状の頂面を仙骨を押圧する仙骨押圧面部とし、前記頂面の両側にある傾斜面を腸骨を押圧する腸骨押圧面部とし、そして、前記押圧体にあっては、その中央部位を、台形状の底面から頂面に渡って硬質弾性材で形成して仙骨強押圧部位とし、仙骨強押圧部位以外を軟質弾性材で形成して軟押圧部位としたことを特徴とする。
【００１１】
請求項２に記載された発明は、請求項１に記載の、前記仙骨強押圧部位は、ベルト長さ方向の縦断面が略台形状に形成されていることを特徴とする。
【００１２】
請求項３に記載された発明は、骨盤回りに弾性力をもって巻き付けられるベルト本体の長手方向中央を骨盤当て部とし、該骨盤当て部に、請求項１又は２に記載の骨盤押圧パッドが装着されていることを特徴とする。
【発明の効果】
【００１３】
骨盤を上方からみたとき、図７に示すように、左右の腸骨イの上後腸骨棘ロが外側に張り出し、上後腸骨棘ロの間の凹部に仙骨ハが配置されている。そこで、請求項１に記載の骨盤押圧パッドによれば、骨盤回りに弾性力をもって巻き付けられるベルト本体に装着され、所定の厚みを備えた弾性材で形成された押圧体は、略台形状をなし、台形状の底面をベルト装着面とし、台形状の頂面を仙骨を押圧する仙骨押圧面部とし、前記頂面の両側にある傾斜面を腸骨を押圧する腸骨押圧面部とし、そして、前記押圧体にあっては、その中央部位を、台形状の底面から頂面に渡って硬質弾性材で形成して仙骨強押圧部位とし、仙骨強押圧部位以外を軟質弾性材で形成して軟押圧部位としたので、上後腸骨棘ロの間の凹部にある仙骨ハを前記仙骨押圧面部で押圧し、外側に張り出した腸骨イの上後腸骨棘ロを腸骨押圧面部で押圧することができ、このとき、仙骨ハへは前記仙骨強押圧部位により強い力で押圧することができる。このように、仙骨ハと腸骨イを同時に押圧することができるので、骨盤矯正ベルトの緊締により生じる体背部への押圧力を骨盤に効果的に伝えることができ、しかも、仙骨ハを強い力で押圧することができるので、確実に骨盤を前傾させることができる。その結果、脊柱の適切な生理的彎曲が形成され、骨盤の歪みによる姿勢の悪化を改善することができる。また、上記のように骨盤を前傾させたとき、仙骨強押圧部位以外を軟質弾性材で形成して軟押圧部位としているので、仙骨ハと腸骨イを結ぶ仙腸関節の動きを過剰に拘束することがない。
【００１４】
また、押圧体は略台形状となっているので、左右の腸骨イの上後腸骨棘ロが外側に張り出し、上後腸骨棘ロの間の凹部に仙骨ハが配置された骨盤の形状に沿ってフィットするため、位置決めが容易となり、押圧体を確実に骨盤に配置することができるとともに、巻着時に押圧体がずれにくく最適な装着位置に維持することができる。
【００１５】
請求項２に記載された骨盤押圧パッドによれば、請求項１に記載の、前記仙骨強押圧部位は、ベルト長さ方向の縦断面が略台形状に形成されているので、ベルト装着面で吸収した骨盤矯正ベルトの緊締により生じる体背部への押圧力を、仙骨押圧面部に集中させることができ、より強い力で仙骨を押圧することができる。これにより、確実に骨盤を前傾させることができ、その結果、脊柱の適切な生理的彎曲が形成され、骨盤の歪みによる姿勢の悪化を改善することができる。
【００１６】
請求項３に記載の骨盤矯正ベルトによれば、骨盤回りに弾性力をもって巻き付けられるベルト本体の長手方向中央を骨盤当て部とし、該骨盤当て部に、請求項１又は２に記載の骨盤押圧パッドが装着されているので、このようなベルト本体を巻着すると、骨盤を前傾させて脊柱の適切な生理的彎曲が形成された状態、即ち正しい姿勢の状態を長時間保つことができ、長時間の座り仕事や立ち仕事による疲労を軽減することができる。また、正しい姿勢の状態でエクササイズやウォーキング等の運動を行うことができ、効果的に骨盤の歪みを矯正することができる。
【図面の簡単な説明】
【００１７】
【図１】本発明の骨盤押圧パッドの一例を示す斜視図である。
【図２】図１のＡ−Ａ線断面図である。
【図３】図１の骨盤押圧パッドを装着した骨盤矯正ベルトの表面を示す図である。
【図４】図１の骨盤押圧パッドを装着した骨盤矯正ベルトの裏面を示す図である。
【図５】図３の骨盤矯正ベルトを使用した状態を骨盤上方から見た説明図である。
【図６】図３の骨盤矯正ベルトを使用した状態を骨盤後方から見た説明図である。
【図７】骨盤を上方から見た説明図である。
【発明を実施するための形態】
【００１８】
以下、この発明に係る骨盤押圧パッド及び骨盤押圧パッド付き骨盤矯正ベルトを実施するための形態を、図面を参照して詳細に説明する。  
図１乃至図６は本発明に係る骨盤押圧パッド及び骨盤押圧パッド付き骨盤矯正ベルトの一例を示したもので、図１は本発明の骨盤押圧パッドの一例を示す斜視図、図２は図１のＡ−Ａ線断面図、図３は図１の骨盤押圧パッドを装着した骨盤矯正ベルトの表面を示す図、図４は図１の骨盤押圧パッドを装着した骨盤矯正ベルトの裏面を示す図、図５は図３の骨盤矯正ベルトを使用した状態を骨盤上方から見た説明図、図６は図３の骨盤矯正ベルトを使用した状態を骨盤後方から見た説明図である。
【００１９】
本例の骨盤押圧パッドは、骨盤回りに弾性力をもって巻き付けられるベルト本体に装着されるものであって、所定の厚みを備えた弾性材で形成された押圧体１からなる。押圧体１は、平面視が矩形状の板状であって、仙骨を押圧する仙骨押圧面部２と、その両側に配置された腸骨を押圧する腸骨押圧面部３とで構成されている。
【００２０】
押圧体１は、正面視が略台形状に形成されており、略台形状に形成された押圧体１は、台形状の底面４がベルト装着面５となり、台形状の頂面６が仙骨押圧面部２となり、頂面６の両側にある傾斜面７が腸骨押圧面部３となっている。本例では、押圧体１は、押圧体１の長手方向の端部８，８が底面４に対して垂直方向に切り取られた略台形状に形成されている。
【００２１】
頂面６をもって形成される仙骨押圧面部２は、仙骨を押圧することができる面積を有し、底面４をもって形成されるベルト装着面５から頂面６、即ち仙骨押圧面部２までの厚みは、骨盤矯正ベルトの緊締により生じる体背部への押圧力を仙骨に伝えることができる厚みとなっている。本例では、底面４、即ちベルト装着面５から頂面６、即ち仙骨押圧面部２までの厚みは３ｃｍとなっている。
【００２２】
仙骨押圧面部２の両側には、押圧体１の長手方向の端部８，８に向かって厚みが薄くなる傾斜面７が形成されており、この傾斜面７が腸骨押圧面部３となっている。腸骨押圧面部３は、仙骨押圧面部２の左右に対称に形成されている。
【００２３】
図２に示す、頂面６をもって形成される仙骨押圧面部２と傾斜面７をもって形成される腸骨押圧面部３のなす角度θは、押圧体１を骨盤に当接させ、押圧体１に骨盤矯正ベルトの緊締により生じる体背部への押圧力を与えたとき、仙骨押圧面部２と腸骨押圧面部３とで仙骨と腸骨を同時に適切な力で押圧することができる角度となっており、具体的には１３０度から１７５度の範囲が好ましい。角度θが１３０度未満であると、腸骨押圧面部３で腸骨を押圧することができず、仙骨のみを押圧することになるため、骨盤矯正ベルトの緊締により生じる体背部への押圧力を骨盤へ効果的に伝えることができないばかりか、仙骨のみを押圧すると腸骨の動きが大きくなり、その結果、骨盤の状態が安定せず、骨盤の歪みによる姿勢の悪化を改善することができない。一方、角度θが１７５度を超えると、骨盤矯正ベルトの緊締により生じる体背部への押圧力が外側に張り出した腸骨の上後腸骨棘に集中してしまい、仙骨と腸骨を同時に適切な力で押圧することができない。
【００２４】
そして、押圧体１にあっては、その中央部位が台形状の底面４から頂面６に渡って硬質弾性材で形成した仙骨強押圧部位９となっており、仙骨強押圧部位９以外が軟質弾性材で形成した軟押圧部位１０となっている。仙骨強押圧部位９と軟押圧部位１０はそれぞれ別体に成形され、これを接着剤等の接合手段により一体化して押圧体１が形成されている。
【００２５】
仙骨強押圧部位９を形成する硬質弾性材および軟押圧部位１０を形成する軟質弾性材の材質としては、一定の弾性を有し、骨盤矯正ベルトの緊締により生じる体背部への押圧力を骨盤へ伝えることができるものであれば特に限定されず、各種発泡樹脂などを使用することができ、具体的には、例えば発泡ポリウレタンや発泡ポリエチレンなどを使用することができる。
【００２６】
また、仙骨強押圧部位９を形成する硬質弾性材の材質としては、軟押圧部位１０よりも硬い材質であればよい。仙骨強押圧部位９および軟押圧部位１０の硬さとしては、例えば、仙骨強押圧部位９を形成する硬質弾性材および軟押圧部位１０を形成する軟質弾性材の材質として発泡ポリウレタンを使用する場合には、軟押圧部位１０の硬さが１００Ｎから３００Ｎ 程度のとき、仙骨強押圧部位９の硬さは５５０Ｎから７５０Ｎ 程度であるのがよい。
【００２７】
仙骨強押圧部位９は、ベルト長さ方向の縦断面が略矩形状または略台形状に形成されており、本例では、図２に示すように、仙骨強押圧部位９は、ベルト長さ方向の縦断面が略台形状に形成されている。具体的には、本例の仙骨強押圧部位９は、台形角錐状に形成され、押圧体１の短手方向全幅に渡って設けられている。
【００２８】
仙骨強押圧部位９は、押圧体１の底面４であるベルト装着面５に露出する部分を仙骨強押圧ベルト装着面５ａとし、押圧体１の頂面６である仙骨押圧面部２に露出する部分を仙骨強押圧面部２ａとしており、仙骨強押圧ベルト装着面５ａは、ベルト装着面５の一部を形成し、仙骨強押圧面部２ａは、仙骨押圧面部２の一部或いは全部を形成している。本例では、仙骨強押圧面部２ａは、仙骨押圧面部２の中央位置に形成され、仙骨強押圧面部２ａの一部を形成している。仙骨強押圧ベルト装着面５ａから仙骨強押圧面部２ａまでの厚みは、ベルト装着面５から仙骨押圧面部２までの厚みと同じ厚みとなっている。
【００２９】
仙骨強押圧部位９の仙骨強押圧面部２ａは、その領域で仙骨を押圧することができる面積を有し、仙骨強押圧面部２ａの面積は、仙骨強押圧ベルト装着面５ａの面積と同程度或いはそれよりも狭くするのがよい。具体的には、仙骨強押圧面部２ａと仙骨強押圧ベルト装着面５ａとの面積比は、１：１から１：５の範囲が好ましい。仙骨強押圧面部２ａに対する仙骨強押圧ベルト装着面５ａの面積比が上記範囲を超えると、仙骨強押圧ベルト装着面５ａで吸収した骨盤矯正ベルトの緊締により生じる体背部への押圧力が、仙骨強押圧面部２ａに集中しすぎてしまい、仙骨を局所的に押圧することになる結果、押圧力を骨盤に効果的に伝えることができず、また、装着感も悪化する。一方、仙骨強押圧面部２ａの面積が仙骨強押圧ベルト装着面５ａよりも広くなると、仙骨強押圧ベルト装着面５ａで吸収した骨盤矯正ベルトの緊締により生じる体背部への押圧力が、仙骨強押圧面部２ａで分散してしまい、押圧力を骨盤に効果的に伝えることができない。本例では、仙骨強押圧面部２ａの面積は、仙骨強押圧ベルト装着面５ａの面積よりも狭くなっている。
【００３０】
骨盤押圧パッドとなる押圧体１が装着される骨盤矯正ベルトのベルト本体１１は、骨盤回りに弾性力をもって巻き付けられる帯状であって、長手方向中央の骨盤当て部１２と、骨盤当て部１２の左右に連設された接合ベルト部１３とで構成されている。接合ベルト部１３の両端部には、体前で接合ベルト部１３を係止する面ファスナー１４が設けられている。
【００３１】
骨盤当て部１２には、押圧体１を着脱自在に装着する装着手段１５が設けられている。本例では、装着手段１５は、骨盤当て部１２の左右にそれぞれ中央側が開口したポケット部１６となっており、それぞれの開口から押圧体の長手方向の端部８，８を挿入することにより装着されている。本例では、装着手段１５は、骨盤当て部１２の両端部に設けられたポケット部１６となっているが、これに限定されず、押圧体１のベルト装着面５と骨盤当て部１２に面ファスナーを設けても良い。
【００３２】
次ぎに、このように構成された骨盤押圧パット及び骨盤押圧パッド付き骨盤矯正ベルトの使用方法について説明する。  
まず、骨盤矯正ベルトのベルト本体１１に装着された骨盤押圧パッドとなる押圧体１を、仙骨押圧面部２が左右腸骨イの上後腸骨棘ロの間の凹部にある仙骨ハに当接し、腸骨押圧面部３が左右腸骨イの上後腸骨棘ロに当接する位置に配置する。その状態で、ベルト本体１１の接合ベルト部１３を左右にひっぱり、所望の張力を保ったまま体前で接合ベルト部１３を面ファスナー１４により係止する（図５、図６）。
【００３３】
このように巻着することで、腸骨イの上後腸骨棘ロの間の凹部にある仙骨ハを仙骨押圧面部３で押圧し、外側に張り出した腸骨イの上後腸骨棘ロを腸骨押圧面部４で押圧することができる。このとき、仙骨ハへは仙骨強押圧部位９により強い力で押圧することができる。こうして、仙骨ハと腸骨イを同時に押圧することができるので、骨盤矯正ベルトの緊締により生じる体背部への押圧力を骨盤に効果的に伝えることができ、しかも、仙骨ハを強い力で押圧することができるので、確実に骨盤を前傾させることができる。その結果、脊柱の適切な生理的彎曲が形成され、骨盤の歪みによる姿勢の悪化を改善することができる。また、上記のように骨盤を前傾させたとき、仙骨強押圧部位９以外を軟質弾性材で形成して軟押圧部位１０としているので、仙骨ハと腸骨イを結ぶ仙腸関節の動きを過剰に拘束することがない。
【００３４】
また、押圧体１は略台形状となっているので、図５に示すように、押圧体１は、腸骨イの上後腸骨棘ロが外側に張り出し、上後腸骨棘ロの間の凹部に仙骨ハが配置された骨盤の形状に沿ってフィットするため、位置決めが容易となり、押圧体１を確実に骨盤に配置することができるとともに、巻着時に押圧体１がずれにくく最適な装着位置に維持することができる。
【００３５】
本例では、仙骨強押圧部位９は、ベルト長さ方向の縦断面が略台形状に形成されており、仙骨強押圧部位９の仙骨強押圧面部２ａの面積は、仙骨強押圧ベルト装着面５ａの面積よりも狭くなっているので、仙骨強押圧ベルト装着面５ａで吸収した骨盤矯正ベルトの緊締により生じる体背部への押圧力を、仙骨強押圧面部２ａに集中させることができ、より強い力で仙骨を押圧することができる。これにより、確実に骨盤を前傾させることができ、その結果、脊柱の適切な生理的彎曲が形成され、骨盤の歪みによる姿勢の悪化を改善することができる。
【００３６】
骨盤矯正ベルトのベルト本体１１には、略台形状をなし、台形状の底面４をベルト装着面５とし、台形状の頂面６を仙骨部位を押圧する仙骨押圧面部２とし、頂面６の両側にある傾斜面７を腸骨を押圧する腸骨押圧面部３とし、そして、その中央部位を、台形状の底面４から頂面６に渡って硬質弾性材で形成して仙骨強押圧部位９とし、仙骨強押圧部位９以外を軟質弾性材で形成して軟押圧部位１０とした押圧体１からなる骨盤押圧パッドが装着されているので、このようなベルト本体１１を巻着すると、骨盤を前傾させて脊柱の適切な生理的彎曲が形成された状態、即ち正しい姿勢の状態を長時間保つことができ、長時間の座り仕事や立ち仕事による疲労を軽減することができる。また、正しい姿勢の状態でエクササイズやウォーキング等の運動を行うことができ、効果的に骨盤の歪みを矯正することができる。
【符号の説明】
【００３７】
１  押圧体
２  仙骨押圧面部
２ａ  仙骨強押圧面部
３  腸骨押圧面部
４  底面
５  ベルト装着面
５ａ  仙骨強押圧ベルト装着面
６  頂面
７  傾斜面
８  端部
９  仙骨強押圧部位
１０  軟押圧部位
１１  ベルト本体
１２  骨盤当て部
１３  接合ベルト部
１４  面ファスナー
１５  装着手段
１６  ポケット部
イ  腸骨
ロ  上後腸骨棘
ハ  仙骨
【図１】
2012055376.tif 000003
【図２】
2012055376.tif 000004
【図３】
2012055376.tif 000005
【図４】
2012055376.tif 000006
【図５】
2012055376.tif 000007
【図６】
2012055376.tif 000008
【図７】
2012055376.tif 000009